(57)【要約】【課題】カプセル、設置装置、及びカプセルを組織内に設置するための関連した方法を提供する。【解決手段】設置装置は、カテーテルを用いた手持ち式ユニットであってもよい。設置装置は、カプセル封入メンブレンを虚脱状態で組織に導入し、次いで、充填材料をカプセル封入メンブレンに注入することによって、カプセル封入メンブレンを組織内で膨張してカプセルにするのに役立つ。充填材料は、設置装置を通して注入できる以外に、注入後にカプセル封入メンブレン内で、患者が求める治療効果を達成する上で望ましいこのような機械的及び生物学的特徴を提供するように選択され、調製されていてもよい。機械的には、充填材料は、カプセル封入メンブレン内で、充填後、液体であってもよく、ゲル等の半固体であってもよく、又は架橋済ポリマー等の固体であってもよい。充填材料は、カプセル封入メンブレン内にシールされていてもよいし、シールされていなくてもよい。【選択図】図１
2015013198.tif 000002
【特許請求の範囲】
【請求項１】
カプセル設置装置において、
遠位端にチップを持ち、内部に内腔を形成するニードルと、
前記ニードルの前記内腔内に移動自在に配置された、内部に内腔を形成し、遠位端を持つメンブレン導入器チューブと、
内部及び流体を通して前記内部に受け入れるように形成された入口領域を形成し、前記入口領域の近くで前記メンブレン導入器チューブの前記遠位端に取り外し自在に連結された、前記流体を前記内部に導入したとき、虚脱状態から膨張状態まで制御下で膨張できるカプセル封入メンブレンと、
遠位端を持ち、内部に内腔を形成する充填器チューブとを含み、
前記カプセル封入メンブレンが前記虚脱状態で拘束された前記ニードルの前記内腔内から、前記カプセル封入メンブレンを、前記ニードルの前記遠位端を通して放出し、前記カプセル封入メンブレンが前記ニードルの前記内腔によって実質的に拘束されていない状態にするため、前記ニードル及び前記メンブレン導入器チューブのうちの少なくとも一方を、これらのチューブ間に相対的移動を提供するように、制御下で移動でき、
前記カプセル封入メンブレンの前記内部は、流体を受け入れるため、前記入口領域を通して前記充填器チューブの前記内腔と流体連通している、カプセル設置装置。
【請求項２】
請求項１に記載のカプセル設置装置において、更に、
細長いシースを含み、
前記ニードルは前記シースの内腔内に移動自在に配置されている、カプセル設置装置。
【請求項３】
請求項１に記載のカプセル設置装置において、
前記メンブレン導入器チューブは内部に内腔を形成し、前記カプセル封入メンブレンの前記内部は、流体を受け入れるため、前記入口領域を通して前記メンブレン導入器チューブの前記内腔とも流体連通している、カプセル設置装置。
【請求項４】
請求項１に記載のカプセル設置装置において、更に、
細長いシールデバイスを含み、
前記メンブレン導入器チューブは内部に内腔を形成し、前記細長いシールデバイスは、前記メンブレン導入器チューブの前記内腔内に移動自在に配置されており、前記カプセル封入メンブレンをシールするため、前記カプセル封入メンブレンの前記入口の手前側に位置決めできる、カプセル設置装置。
【請求項５】
請求項４に記載のカプセル設置装置において、
前記細長いシールデバイスは、更に、超音波溶接機、高周波溶接機、及び熱溶接機のうちの少なくとも一つを含む、カプセル設置装置。
【請求項６】
請求項４に記載のカプセル設置装置において、
前記細長いシールデバイスは、更に、細長い接着剤アプリケータを含み、更に、接着剤を前記カプセル封入メンブレンの前記入口に送出するため、前記カプセル封入メンブレンの前記入口の手前側に位置決めできるアプリケータチューブを含む、カプセル設置装置。
【請求項７】
請求項１に記載のカプセル設置装置において、更に、
前記カプセル封入メンブレンを前記入口の手前側でシールするように形成されたクランプデバイスを含む、カプセル設置装置。
【請求項８】
請求項１に記載のカプセル設置装置において、更に、
前記カプセル封入メンブレンを前記入口の手前側でシールするように形成された捩じりデバイスを含む、カプセル設置装置。
【請求項９】
組織内にカプセルを設置するためのカテーテルシステムにおいて、
流体バイオマテリアル源と、
遠位端及び近位端を有し、内部に内腔を形成する細長いシースと、
前記シースの前記内腔内に移動自在に配置された、遠位端にチップを有し、内部に内腔を形成するニードルと、
前記ニードルの前記内腔内に移動自在に配置された、遠位端を持つメンブレン導入器チューブと、
内部及び流体を通して前記内部に受け入れるように形成された入口領域を形成し、前記入口領域の近くで前記メンブレン導入器チューブの前記遠位端に取り外し自在に連結された、前記流体を前記内部に導入したとき、虚脱状態から膨張状態まで制御下で膨張できるカプセル封入メンブレンと、
前記シースの前記近位端に配置された制御ハンドルとを含み、
前記制御ハンドルは、前記ニードルの前記チップを前記シースの前記遠位端を越えて組織内に前進するように形成された第１制御装置を有し、
前記制御ハンドルは、更に、前記ニードルを前記メンブレン導入器チューブに対して引っ込め、前記カプセル封入メンブレンを、前記カプセル封入メンブレンが前記虚脱状態で拘束された前記ニードルの前記内腔内から、前記ニードルの前記遠位端を越えて放出し、前記カプセル封入メンブレンが前記ニードルの前記内腔によって実質的に拘束されていない状態にする第２制御装置を有し、
前記制御ハンドルは、更に、バイオマテリアルを前記バイオマテリアル源から前記カプセル封入メンブレンの前記内部に導入し、前記カプセル封入メンブレンを前記虚脱状態から膨張状態に膨張する第３制御装置を有する、カテーテルシステム。
【請求項１０】
請求項９に記載のカテーテルシステムにおいて、
前記メンブレン導入器チューブは内部に内腔を形成し、前記メンブレン導入器チューブの前記内腔は、前記バイオマテリアルを前記カプセル封入メンブレンの前記内部に供給するため、前記バイオマテリアル源と流体連通しており、前記入口領域を通して前記カプセル封入メンブレンの前記内部と流体連通している、カテーテルシステム。
【請求項１１】
請求項９に記載のカテーテルシステムにおいて、更に、
細長いシールデバイスを含み、
前記メンブレン導入器チューブは内部に内腔を形成し、前記細長いシールデバイスは、前記メンブレン導入器チューブの前記内腔内に移動自在に配置されており、前記カプセル封入メンブレンをシールするため、前記カプセル封入メンブレンの前記入口の手前側に位置決めできる、カテーテルシステム。
【請求項１２】
請求項１１に記載のカテーテルシステムにおいて、
前記細長いシールデバイスは、更に、超音波溶接デバイス及び接着剤アプリケータのうちの少なくとも一つを含む、カテーテルシステム。
【請求項１３】
請求項９に記載のカテーテルシステムにおいて、更に、
前記カプセル封入メンブレンを前記入口の手前側でシールするように形成された、クランプデバイス及び捩じりデバイスのうちの少なくとも一つを含む、カテーテルシステム。
【発明の詳細な説明】
【技術分野】
【０００１】
本願は、２００８年９月５日に出願された米国仮特許出願第６１／１９１，１７４号及び２００９年９月４日に出願されたＰＣＴ出願第ＰＣＴ／ＵＳ０９／５６１２３号に対し、パリ条約の全ての恩恵及び優先権を主張するものである。出典を明示することにより、この出願に開示された全ての内容は本明細書の開示の一部とされる。
【０００２】
分野
本発明は、組織の治療に関し、更に詳細には、カプセルを組織内に設置するための装置及び方法に関する。
【発明の概要】
【発明が解決しようとする課題】
【０００３】
本発明の目的は、カプセル、設置装置、及びカプセルを組織内に設置するための関連した方法を提供することである。
【課題を解決するための手段】
【０００４】
本明細書中に開示した本発明の一つ又はそれ以上の実施例によって、当業者に周知の問題を解決できる。当業者は、本明細書を検討することによって、追加の改良及び利点を実現できるであろう。本発明の例示の実施例は、以下の通りである。
【０００５】
実施例によれば、カプセル設置装置において、遠位端にチップを持ち、内部に内腔を形成するニードルと、ニードルの内腔内に移動自在に配置された、遠位端を持つメンブレン導入器チューブと、内部及び流体を通して内部に受け入れるための入口領域を形成し、入口領域の近くでメンブレン導入器チューブの遠位端に取り外し自在に連結された、流体を内部に導入したとき、虚脱状態から膨張状態まで制御下で膨張できるカプセル封入メンブレンとを含み、カプセル封入メンブレンが虚脱状態で拘束されたニードルの内腔内から、カプセル封入メンブレンを、ニードルの遠位端を通して放出し、カプセル封入メンブレンがニードルの内腔によって実質的に拘束されていない状態にするため、ニードル及びメンブレン導入器チューブのうちの少なくとも一方を、これらのチューブ間に相対的移動を提供するように、制御下で移動できる、カプセル設置装置が開示されている。
【０００６】
カプセル設置装置は、細長いシースを更に含んでいてもよく、ニードルはシースの内腔内に移動自在に配置される。メンブレン導入器チューブは内部に内腔を形成してもよく、カプセル封入メンブレンの内部は、流体を受け入れるため、入口領域を通してメンブレン導入器チューブの内腔と流体連通していてもよい。カプセル設置装置は、更に、遠位端を持ち、内部に内腔を形成する充填器チューブを含み、メンブレン導入器チューブは内部に内腔を形成し、充填器チューブは、メンブレン導入器チューブの内腔内に移動自在に配置されており、カプセル封入メンブレンの内部は、流体を受け入れるため、入口領域を通して充填器チューブの内腔と流体連通している。
【０００７】
カプセル設置装置は、更に、細長いシールデバイスを含み、メンブレン導入器チューブは内部に内腔を形成し、細長いシールデバイスは、メンブレン導入器チューブの内腔内に移動自在に配置されており、カプセル封入メンブレンをシールするため、カプセル封入メンブレンの入口の手前側に位置決めできる。細長いシールデバイスは、溶接デバイスを含んでいてもよい。溶接デバイスには、超音波溶接機、高周波溶接機、又は熱溶接機が含まれる。
【０００８】
細長いシールデバイスは、細長い接着剤アプリケータを含んでもよい。メンブレン導入器チューブは内部に内腔を形成してもよく、細長い接着剤アプリケータはメンブレン導入器チューブの内腔内に移動自在に配置されており、カプセル封入メンブレンをシールするため、カプセル封入メンブレンの入口の手前側に位置決めできる。細長い接着剤アプリケータは、接着剤をカプセル封入メンブレンの入口に送出するため、カプセル封入メンブレンの入口の手前側に位置決めできる。
【０００９】
カプセル設置装置は、更に、カプセル封入メンブレンを入口の手前側でシールするように形成されたクランプデバイス、又はカプセル封入メンブレンを入口の手前側でシールするように形成された捩じりデバイスを含んでいてもよい。
【００１０】
実施例によれば、組織内にカプセルを設置するためのカテーテルシステムにおいて、流体バイオマテリアル源と、遠位端及び近位端を有し、内部に内腔を形成する細長いシースと、シースの内腔内に移動自在に配置された、遠位端にチップを有し、内部に内腔を形成するニードルと、ニードルの内腔内に移動自在に配置された、遠位端を持つメンブレン導入器チューブと、内部及び流体を通して内部に受け入れるように形成された入口領域を形成し、入口領域の近くでメンブレン導入器チューブの遠位端に取り外し自在に連結された、流体を内部に導入したとき、虚脱状態から膨張状態まで制御下で膨張できるカプセル封入メンブレンと、シースの近位端に配置された制御ハンドルとを含み、制御ハンドルは、ニードルのチップをシースの遠位端を越えて組織内に前進するように形成された第１制御装置を有し、制御ハンドルは、更に、ニードルをメンブレン導入器チューブに対して引っ込め、カプセル封入メンブレンを、カプセル封入メンブレンが虚脱状態で拘束されたニードルの内腔内から、ニードルの遠位端を越えて放出し、カプセル封入メンブレンがニードルの内腔によって実質的に拘束されていない状態にする第２制御装置を有し、制御ハンドルは、更に、バイオマテリアルをバイオマテリアル源からカプセル封入メンブレンの内部に導入し、カプセル封入メンブレンを虚脱状態から膨張状態に膨張する第３制御装置を有する、カテーテルシステムが開示される。
【００１１】
カテーテルシステムは、更に、遠位端を持ち、内部に内腔を形成する充填器チューブを含んでいてもよく、メンブレン導入器チューブは内部に内腔を形成し、充填器チューブは、メンブレン導入器チューブの内腔内に移動自在に配置されており、充填器チューブの内腔は、バイオマテリアルをカプセル封入メンブレンの内部に供給するため、バイオマテリアル源と流体連通しており、入口領域を通してカプセル封入メンブレンの内部と流体連通している。
【００１２】
メンブレン導入器チューブは内部に内腔を形成してもよく、メンブレン導入器チューブの内腔は、バイオマテリアルをカプセル封入メンブレンの内部に供給するため、バイオマテリアル源と流体連通しており、入口領域を通してカプセル封入メンブレンの内部と流体連通している。
【００１３】
カテーテルシステムは、更に、細長いシールデバイスを含んでいてもよく、メンブレン導入器チューブは内部に内腔を形成し、細長いシールデバイスは、メンブレン導入器チューブの内腔内に移動自在に配置されており、カプセル封入メンブレンをシールするため、カプセル封入メンブレンの入口の手前側に位置決めできる。細長いシールデバイスは、溶接デバイス、接着剤アプリケータ、カプセル封入メンブレンを入口の近くでシールするためのクランプデバイス、又はカプセル封入メンブレンを入口の近くでシールするための捩じりデバイスを含んでいてもよい。
【００１４】
実施例によれば、カプセルを組織内に設置するための方法を開示する。この方法は、内部に内腔が形成されたニードルを器官の組織内に前進し、ニードルの遠位端を組織内の所定の深さのところに配置する工程と、ニードルを組織から引っ込め、カプセル封入メンブレンを組織内に配置する工程とを含む。引っ込めの開始時に、カプセル封入メンブレンは、ニードルの内腔内にニードルの遠位端の手前側に配置されており、ニードルの内腔内に移動自在に配置されたメンブレン導入器チューブの遠位端に入口が取り外し自在に連結されている。引っ込め中、カプセル封入メンブレンが組織内の設置場所にある状態で組織が閉鎖するように、ニードルをメンブレン導入器チューブに対して引っ込める。本方法は、更に、バイオマテリアルをカプセル封入メンブレンの内部に入口を通して導入し、カプセル封入メンブレンを設置場所で、虚脱状態から膨張状態まで制御下で膨張する工程と、カプセル封入メンブレンが膨張状態にあるとき、取り外し工程前にカプセル封入メンブレンの入口をシールする工程と、カプセル封入メンブレンが膨張状態にあるとき、カプセル封入メンブレンをメンブレン導入器チューブから取り外す工程とを含む。
【００１５】
本開示の上述の特徴及び目的は、同様の参照番号が同様のエレメントに付してある添付図面と関連して以下の説明を読むことにより更に明らかになるであろう。
【図面の簡単な説明】
【００１６】
【図１】図１は、設置装置の例示の実施例の概略斜視図である。
【図２Ａ】図２Ａは、図１の設置装置の例示の実施例の先端部分の第１作動状態での断面図である。
【図２Ｂ】図２Ｂは、図１の設置装置の例示の実施例の先端部分の第２作動状態での断面図である。
【図２Ｃ】図２Ｃは、図１の設置装置の例示の実施例の先端部分の第３作動状態での断面図である。
【図２Ｄ】図２Ｄは、図１の設置装置の例示の実施例の先端部分の第４作動状態での断面図である。
【図２Ｅ】図２Ｅは、図１の設置装置の例示の実施例の先端部分の第５作動状態での断面図である。
【図３Ａ】図３Ａは、図１の設置装置の例示の実施例の先端部分の第６作動状態での断面図である。
【図３Ｂ】図３Ｂは、図１の設置装置の例示の実施例の先端部分の第７作動状態での断面図である。
【図３Ｃ】図３Ｃは、図１の設置装置の例示の実施例の先端部分の第８作動状態での断面図である。
【図３Ｄ】図３Ｄは、図１の設置装置の例示の実施例の先端部分の第９作動状態での断面図である。
【図４Ａ】図４Ａは、図１の設置装置の例示の実施例の先端部分の、変形例の第６作動状態での断面図である。
【図４Ｂ】図４Ｂは、図１の設置装置の例示の実施例の先端部分の、変形例の第７作動状態での断面図である。
【図４Ｃ】図４Ｃは、図１の設置装置の例示の実施例の先端部分の、変形例の第８作動状態での断面図である。
【図４Ｄ】図４Ｄは、図１の設置装置の例示の実施例の先端部分の、変形例の第９作動状態での断面図である。
【図５】図５は、カプセルの例示の実施例の斜視図である。
【図６】図６は、カプセルの別の例示の実施例の斜視図である。
【図７】図７は、カプセルの更に別の例示の実施例の斜視図である。
【発明を実施するための形態】
【００１７】
添付図面は、本発明の説明を容易にしようとするものである。本明細書中に説明した様々な実施例を形成する添付図面に示す部分の数、位置、関係、及び寸法、並びに特定の力、重量、強さ、流れ、及び同様の要求に合わせた寸法及び寸法特性を本明細書中に説明する。当業者は、本開示を検討することにより、これらを理解できる。様々な図で使用されている同じ参照番号は、同じ又は同様の部分を示す。「上」、「下」、「右」、「左」、「前」、「後」、「第１」、「第２」、「内側」、「外側」、及び同様の用語を使用するとき、これらの用語は、添付図面に示す構造の配向に関する用語であり、理解を促すために使用されているということは理解されるべきである。同様に、「近位」、「遠位」、及び位置に関する同様の用語を使用するとき、これらの用語は、添付図面に示す構造に関する用語であり、理解を促すために使用されているということは理解されるべきである。
【００１８】
様々な治療方式において、身体の器官の組織に様々な種類の流動性材料を注入するのが有利である。ポリマーの注入を行う場合、ポリマーが適切に架橋し、組織内でマスを形成してもよいが、ポリマーは、その後、治療効果が完全に実現される前に治療効果が失われるような速度で劣化してしまう。ポリマーは、架橋前に組織の間質腔内に拡散してしまう。これは望ましい場合もあるが、多くの場合において、望ましくない。
【００１９】
他の場合には、予備成形した材料本体を身体の器官の組織内に配置しようとする場合がある。しかしながら、材料本体を組織内に配置するには、患者に傷を残す、危険な切開又は他の侵襲的手順が必要である。
【００２０】
従って、これらの及び他の技術と関連した問題を解決するための装置及び方法が必要とされている。
【００２１】
本願には、２００５年９月１３日に付与された米国特許第６，９４２，６７７号、２００２年３月２６日に付与された米国特許第６，３６０，７４９号、２００４年１月８日に公開された米国特許公開第２００４／０００５２９５号、２００４年６月３日に公開された米国特許公開第２００４／０１０６８９６号、２００４年９月１６日に公開された米国特許公開第２００４／０１８００４３号、２００５年１２月８日に公開された米国特許公開第２００５／０２７１６３１号、２００８年３月１３日に公開された米国特許公開第２００８／００６５０４６号、２００８年３月１３日に公開された米国特許公開第２００８／００６５０４７号、２００８年３月１３日に公開された米国特許公開第２００８／００６５０４８号、２００８年３月２０日に公開された米国特許公開第２００８／００６９８０１号、及び２００８年１０月３０日に公開された米国特許公開第２００８／０２６９７２０号が組み込まれる。出典を明示することにより、これらの特許又は特許出願に開示された全ての内容は本明細書の開示の一部とされる。
【００２２】
カプセル、設置装置、及びカプセルを組織内で形成するための関連した方法を以下に説明する。設置装置は、カテーテルを用いた装置であってもよく、又は手持ち式ユニットで実施されてもよい。設置装置は、虚脱状態のカプセル封入メンブレンを組織に導入した後、カプセル封入メンブレンに充填材料を注入することによってカプセル封入メンブレンを組織内で膨張し、カプセルにする。設置装置を通して注入を行うことができる他、注入後、カプセル封入メンブレン内で、患者が求める治療効果を達成する上で望ましい機械的特性及び生物学的特性が得られるように、充填材料を選択し配合してもよい。機械的には、カプセル封入メンブレン内の充填材料は、注入後、液体であってもよく、ゲル等の半固体であってもよく、又は架橋したポリマー等の固体であってもよい。充填材料は、カプセル封入メンブレン内にシールされていてもよいしシールされていなくてもよい。
【００２３】
実施例によれば、設置装置は、多数の同軸の内腔を持つカテーテルとして、以下に例示するように実施されてもよい。カテーテルの外側には外ガイドシースがある。ニードルチューブを外ガイドシース内で作動的に移動できる。ニードルチューブは、一般的には、外ガイドシースと同軸である。メンブレン導入器チューブをニードルチューブ内で作動的に移動できる。メンブレン導入器チューブは、一般的には、ニードルチューブと同軸である。カプセルのシールが所望でない場合には、メンブレン導入器チューブを通してカプセル封入メンブレン内に充填材料を注入してもよい。カプセルのシールが所望である場合には、メンブレン導入器チューブと同軸であり且つメンブレン導入器チューブ内で作動的に移動できる充填器チューブを使用してカプセル封入メンブレンを充填し、次いで、メンブレン導入器チューブと同軸であり且つメンブレン導入器チューブ内で作動的に移動できるシール装置と交換する。様々なシール装置が適している。超音波溶接が望ましい場合には、例えば、シール装置は、近位超音波トランスジューサー、伝送部材、及び遠位シールチップを持つ超音波デバイスであってもよい。溶接によってシールを行う上で、熱−高周波装置も適している。シールを接着剤で行ってもよい。この場合、シール装置は、メンブレン導入器チューブと同軸であり且つメンブレン導入器チューブ内で作動的に移動できる接着剤アプリケータチューブであってもよく、接着剤を充填済みカプセル封入メンブレンのネックに適用するのに使用される。カプセル形態の充填済みカプセル封入メンブレンは、任意の適当な方法でメンブレン導入器チューブから外してもよい。
【００２４】
実施例によれば、設置装置は、以下のように作動する。ニードルチューブをシースから前方に延ばしたとき、ニードルが組織に挿入される。この際、カプセル封入メンブレンは虚脱状態にあり、メンブレン導入器チューブの端部に、ニードルの内側にチップの手前側に位置決めされている。ニードルを組織から引っ込める。これは、メンブレン導入器チューブの遠位部分、及びメンブレン導入器チューブの遠位端のカプセル封入メンブレンが組織内に残るように行われる。充填材料をカプセル封入メンブレンにネック領域を通して注入し、カプセル封入メンブレンを膨張し、メンブレン導入器チューブの遠位端から前方に延びるカプセルを形成する。ネック領域を任意の適当なシール技術を使用してシールし、メンブレン導入器チューブをカプセルから分離し、組織から取り外す。カプセルは組織内に設置されたままである。設置装置は、組織内の他の位置に複数のカプセルを設置するのに使用してもよい。カプセルは、例えば球形や円筒形等の様々な形態を備えていてもよく、様々な形状のカプセルを様々な位置に配置してもよい。
【００２５】
実施例によれば、充填材料は、好ましくは、圧力下で内腔を通って流動でき、及び従って体内に注入できる生体親和性の天然又は合成の材料（「バイオマテリアル」）であってもよい。カプセル封入メンブレンが本来の場所にある場合には、バイオマテリアルは同じ流動性状態にあり、又は流動性状態から、固体や半固体ゲル材料等の非流動性状態に転移してもよい。バイオマテリアルは、転移中及び／又は転移後に膨潤してもよい。適当なバイオマテリアルには、医学において代表的に使用される様々な物質が含まれ、一般的には、合成又は天然のポリマー、コポリマー、バイオポリマー、シリコーンバイオマテリアル、ヒドロゲル、及び複合材料とクラス分けされる。ポリマーの例には、（ａ）フィブリン接着剤、コラーゲン、ヒアルロン酸、及びキトサン等の人間又は動物由来のポリマー、（ｂ）アルギン酸塩等の植物由来のポリマー、又はスターチ、糖及びセルロースから得られた生体親和性液体及びゲル、（ｃ）乳酸を基材としたゲル及び液体、及び（ｄ）ポリエチレングリコール（ＰＥＧ）等の合成により得られた材料が含まれる。「バイオマテリアル」という用語は、単一のバイオマテリアルに関し、又はバイオマテリアルの組み合わせに関し、（ａ）細胞（幹細胞、線維芽細胞、骨細胞、等）、（ｂ）成長因子群からの蛋白質及びペプチド、サイトカイン、及びケモカイン、（ｃ）プラスミド又は遺伝子、（ｄ）自然の又は操作を行った結合箇所、例えばＲＤＧ結合箇所及び抗体及び抗体構造、（ｅ）様々な医薬組成物、又は（ｆ）任意の他の治療上有利な材料、又は（ｇ）以上の任意の組み合わせ等の一つ又はそれ以上の生体反応性成分の存在を必要とせず、又は除外しない。適当なバイオマテリアルには、更に、シリコーン及び生理食塩水が含まれる。
【００２６】
カプセル封入メンブレンは、虚脱状態で配置でき、メンブレンを損傷したり破裂したりすることなく虚脱状態から膨張状態にできる任意の生体親和性材料で形成されていてもよい。適当なメンブレン材料の例には、ポリテトラフルオロエチレン（「ＰＴＦＥ」）、弗素化エチレンプロピレン（「ＦＥＰ」）、低密度ポリエチレン（「ＬＤＰＥ」）、ポリプロピレン、ポリ塩化ビニル（「ＰＶＣ」）、ポリジメチルシロキサン、ポリエチレンテレフタレート（「ＰＥＴ」）（ダクロン（ダクロン（Ｄａｃｒｏｎ）は登録商標である））、ポリアミド（ナイロン）、ポリエーテルウレタン、ポリカーボネート、ポリスルホン、ポリメチルメタクリレート、ポリ２−ヒドロキシ−エチルメタクリレート（ＰＨＥＭＡ）、等が含まれる。カプセル封入メンブレンの材料は、カプセル封入メンブレン内への組織の内方成長及び／又はバイオマテリアルからカプセル封入メンブレンを通して組織内への物質の制御された拡散が望ましい場合には、多孔質であってもよい。適当な多孔質材料はＰＴＦＥである。カプセル封入メンブレンの材料は、バイオマテリアルがカプセル封入メンブレンによってしっかりと収容されるべき場合には、実質的に不透過性であってもよい。適当な不透過性材料はＦＥＰである。
【００２７】
カプセル封入メンブレンは、バイオマテリアルで充填したときに特定の幾何学的形状をとるように設計されていてもよい。この形状は、所望の治療効果に応じて、実質的に円筒形、実質的に球形、又は任意の他の幾何学的形状であってもよい。
【００２８】
充填材料及び／又はカプセル封入メンブレンは、組織内部の可視化を容易にするため、放射線不透過性であってもよいし、放射線不透過性マーカーを含んでいてもよい。
【００２９】
カプセルのシールを行う上で、超音波、高周波、又は熱エネルギを用いた溶接、接着剤を使用した結合、及び捩じりやクランプ止めによる機械的閉鎖を含む多くの様々な技術が適している。本明細書中に説明した目的に適合する超音波カテーテル装置の一例が、２００５年９月１３日にヘンリー・ニタ等に付与された米国特許第６，９４２，６７７号に開示されている。出典を明示することにより、この特許に開示された全ての内容は本明細書の開示の一部とされる。接着剤による結合が望ましい場合には、適当な接着剤は、カプセルのネック内に付着するため、一つ又はそれ以上の内腔を通って流れる生体親和性材料である。接着剤はカプセル封入メンブレンに接着し、ネックをシールするシールを形成する。幾つかの実施例では、接着剤は高粘度であってもよく、一般的には高粘度のままであってもよいが、他の例示の実施例では、接着剤は、流動性状態から非流動性状態に転移してもよい。接着剤は、流動性状態でカプセルのネックに付着した後、非流動性状態に転移し、シールを形成する。適当な接着剤の例には、手術で使用されるシアノアクリレート及びスルファクリレート等の医療用接着剤が含まれる。
【００３０】
実施例によれば、本願は、人間等の生物の組織の容積を増大するためのシステム及び方法に適用してもよい。システムは、全体として、組織充填デバイスとして使用されるカプセル、及び前記組織充填デバイスを組織内に送出するための方法を含む。組織充填デバイスは、充填材料及び包囲メンブレンを含む。実施例によれば、包囲メンブレンは、充填がなされる容器を形成する。
【００３１】
実施例によれば、本明細書中に説明した技術は、身体の多くの組織に適用可能である。
心臓の用途では、例えば、要求される治療効果に応じて、心筋の健康な組織又は疾病状態の組織の単一の注入場所にカプセルを設置してもよく、又は心筋の所定の領域に亘って分散された注入場所にカプセルを注入してもよく、又は心筋に沿って治療上有効なパターンで配置してもよい。本明細書中に説明した技術は、２００５年１２月８日付けの米国特許出願第２００５／０２７１６３１号（ランデールＪ．リー等の「心臓疾患の治療を行うための材料組成及びこれと関連したシステム及び方法」）、及び２００８年３月１８日付けの米国特許出願第２００８／００６５０４６号（ハニＮ．サバー等の「心臓の球状リサイジング(Global Cardiac Resizing) 及びリシェイピングを行うための心筋内パターン」）に記載されているように、例えば、心臓の心室壁内にポリマーを注入するのに適用できる。出典を明示することにより、これらの出願に開示された全ての内容は本明細書の開示の一部とされる。そのように設置されたとき、ポリマーは、心室壁内の応力を低減し、心臓の機能を経時的に回復させることができる。カプセルに入ったポリマーを心室壁に入れることにより、心臓が機能を取り戻す前にポリマーが身体に吸収されないようにする。
【００３２】
心血管疾患の予防、診断、及び治療の絶え間ない改良にも関わらず、鬱血性心不全（ＣＨＦ）の有病率は世界的に高くなり続けている。老年の比較的定住した人口に関し、ＣＨＦは工業化社会における最も一般的な慢性疾患の一つであり、６５歳及びそれ以上の患者の入院加療の最も一般的な理由である。現在、米国だけで約５００万人の米国人が罹患しており、患者の数は２０２０年までに２倍になると予想されている。かくして、最も一般的な心疾患となっている。
【００３３】
経済的な影響は、現在、毎年概算２９０億ドルを上回っており、益々上昇すると考えられている。費用の約６０％は、入院加療と関連した費用で占められる。ＣＨＦには（心臓移植以外の）治療が知られていないため、患者は、様々な薬剤で管理され、ライフスタイルを変更する。最終的には、患者は、心疾患の最も進んだステージ（病期）に至ると、その５０％が１年以内に死亡する。
【００３４】
ＣＨＦは、心臓の出力即ち圧送性能が身体の必要に対して不十分になったときに生じる。この心臓の圧送性能の低下の原因には、虚血、高血圧、肥満、及び弁膜疾患等の幾つかの基礎疾患が含まれる。ＣＨＦの遠因に関わらず、患者の大部分において、圧送性能を補償しようとして、左心室が拡張及び拡大を開始し、心筋が薄くなり、房室がその正しい形状から逸脱する。このサイクルが開始されると、イベントの負の連鎖により拡張型心筋症（ＤＣＭ）になり、決して元に戻ることはない。
【００３５】
臨床治療には、主として、症状の改善を目的として様々な医薬品を使用すること、心臓の作業負荷を軽減すること、及び疾患の進行を遅らせることが含まれる。心筋の再生という利益便益を得るため、幹細胞が実験的に使用されている。多くの侵襲的デバイス及びポンプ補助デバイスが開発され、疾患の進行を遅らせることを目的とした様々な成果が得られた。
【００３６】
本開示の実施例によるデバイス及び方法は、僧帽弁逆流症、虚血、拡張型心筋症、及び／又は他の障害により左心室が拡大した患者の鬱血性心不全（ＣＨＦ）の進行を阻止し、又は元に戻す。
【００３７】
本開示の実施例によるデバイス及び方法は、直視下心臓手術中に左心室の筋肉の戦略的領域にアプリケータを使用して直接的に注入されるバイオポリマー、カテーテルを用いた手順、又は任意の他の介入手順を含む。バイオポリマーは、注入されると、ポリマー体(bodies)を形成し、このポリマー体が永久的インプラントとして心筋内にとどまる。これらのインプラントは、幾つかの有利な機能、即ち、（ｉ）心筋の壁を厚くし、（ｉｉ）房室の大きさを減少し、（ｉｉｉ）局所的筋壁応力を低下し、インプラントの位置に基づいて（ｉｖ）拡張した心室をリシェープし、健康的な形態を与えるといった機能を提供する。
研究結果に基づくと、これらの機能は、駆出分画、収縮期及び拡張期の圧力、及び他の応力の生物マーカーによって計測した、心臓の包括的な改善をもたらす。バイオポリマーインプラントのプラスの効果は、手順の数時間内に計測でき、長期に亘って維持される。
【００３８】
実施例によれば、様々な情況で必要に応じて組織の嵩を増すため、本開示に説明した容積増大方法及びデバイスを使用してもよい。例えば、胃腸病学では、胃−食道逆流疾患の治療に胃−食道接合部の組織の容積の増大を使用でき、胃粘膜の厚さの増大により胃の容積を減少し、病的肥満を治療する。泌尿器学では、膀胱頸部で尿道の周囲に亘って半径方向に充填体を配置することにより尿失禁を改善し、心臓病学では、組織充填体を心室壁内に配置し、左心室腔の容積を減少し、心不全の治療を行い、又は心膜腔に配置し、心臓腔の容積を減少するために心の外側に圧力を加え、これによって心不全を治療する。当業者に周知のこの他の用途で、本開示に説明した容積増大方法及びデバイスを使用してもよい。これらの臨床適用のうちの任意の適用において、組織充填デバイスは、充填体自体から経時的に放出されるか或いは同時に注入される任意の数の他の生物活性物質と組み合わせられてもよい。
【００３９】
実施例によれば、本開示のデバイス及びシステムの一つの使用は、美容形成外科の分野にある。この分野では、システムは、加齢、環境暴露、減量、出産、外科手術、ざ創や癌等の疾患、又はこれらの組み合わせを含む様々な条件により生じた皮膚の外形の欠陥を治療するため、又は美しさの向上を図るため、真皮又は真皮下を増大するのに使用される。
本開示の組織増大方法は、眉間の皺線、額の皺線、皺、目尻の皺、顔の傷、又はマリオネット線を治療する上で、又は唇、頬、顎、鼻、又は目の下等の顔の特徴の増大を行うのに特に適している。患者の治療は、専ら、組織充填デバイスを使用して行われる。即ち、組織充填デバイスは、フェースリフトやブローリフト等の追加の美容手術の部分として使用されてもよい。組織充填デバイスは、第１形状から第２形状へと変化する特徴を備えているため、内視鏡手術を行う上で使用するのが望ましい。組織増大デバイスは、更に、豊胸術で使用してもよく、外傷や腫瘍除去等の再建形成手術中に容積を増大することを必要とする身体の領域で使用してもよい。
【００４０】
本開示は、修復を行う必要がある組織についての最適の組成物の設計の態様に関する。
本開示の注入可能な組成物は、更に、患者の組織の増大及び強化等の多くの組織状態の治療に適している。組織充填体は、形成手術又は再建手術の他に、声帯の麻痺による失声症又は発音障害の矯正、欠陥又は損傷の矯正、発育不全乳房の増大、瘢痕組織の増大、泌尿器系障害（例えば尿失禁）の治療、肛門括約筋無能症の治療、膀胱尿管逆流の治療、及び胃液逆流の治療にも使用できる。これは、生体親和性の中空の特定のインプラントを、内視鏡を用いて、又は皮下に、粘膜下組織又は皮膚組織内に注入することによって行われる。本開示は軟質組織の増大の治療と密接に関連しているため、これを参照して詳細に説明する。
【００４１】
図１は、カテーテルを用いた設置装置１０の一実施例の概略斜視図である。設置装置１０は、シース２００、ハンドル２１０、及びニードル３０を含む。ハンドル２１０は、シース２００のシース近位端２０２に固定されている。ニードル３０は、シース２００のシース遠位端２０４から前方に延びており、全体に注入場所５００に向かって配向されている。ニードル３０は、シース２００のシース遠位端２０４から展開されたとき、注入場所５００のところで組織４１０に挿入されてもよい。他の作動状態では、ニードルチップ３４を含むニードル３０は、シース遠位端２０４が非外傷性であるように、全体がシース遠位端２０４の手前側でシース２００内に収容されていてもよい。これにより、シース遠位端２０４を注入場所５００の手前の位置まで案内できる。
【００４２】
設置装置１０の幾つかの実施例では、シース２００は、シース２００のシース遠位端２０４を身体の様々な通路を通して注入場所５００まで操縦できるように可撓性であってもよい。シース２００の可撓性及び他の機械的特性は、シース２００の長さに沿って変化してもよい。他の実施例では、シース２００は全体に剛性であってもよく、シース遠位端２０４を、例えば手術で形成した切開部を通して注入場所５００まで通してもよい。切開部は、注入場所５００を露呈する。様々な実施例において、医師がシース２００のシース遠位端２０４を注入場所５００まで操縦するのを補助するため、放射線不透過性マーク（図示せず）がシース２００の周囲に配置されていてもよい。
【００４３】
図１に示す設置装置１０の例示の実施例では、シース近位端２０２はハンドル２１０に固定されている。医師は、これにより、シース遠位端２０４を注入場所５００に差し向けるためにシース２００を操作できる。ハンドル２１０は、更に、医師がカプセルを注入場所５００の組織内に設置できるようにする特徴を備えている。
【００４４】
例示のように、これらの特徴には、ハンドル２１０に対して摺動するように固定されたノブ２２０が含まれる。医師は、ノブ２２０を、遠位方向に摺動して前進でき、近位方向に摺動して引っ込めることができる。ノブ２２０は、このノブ２２０を遠位方向に前進すると、ニードル３０がシース遠位端２０４から展開され、ニードル３０を注入場所５００の組織４１０に挿入できるように、任意の適当な機構を介してニードル３０と機械的に協働している。同様に、ノブ２２０を近位方向に引っ込めると、ニードル３０が近位方向に引っ込められ、組織４１０からシース２００内に引っ込められる。適当な機構には、シース２００と全体に同軸のニードルチューブ、及びシース２００の遠位部分に取り付けられた展開アッセンブリが含まれる。展開アッセンブリは、ニードルをワイヤ制御で延ばしたり引っ込めたりする。この実施例では、スライド２２５、２３０がハンドル２１０の周囲に配置されている。これらのスライドは、夫々、カプセル封入メンブレン導入器チューブ４０（例えば、図２Ａ乃至図２Ｅを参照されたい）、及びメンブレン導入器チューブ４０に作動的に挿入され、メンブレン導入器チューブ４０内で移動され、様々なチューブ及びデバイスと機械的に協働する。これらのチューブ及びデバイスには、充填チューブ、チューブ状超音波デバイス等のシール装置、及び接着剤アプリケータチューブ等が含まれる。
【００４５】
スライド２２５及び２３０を前進し又は引っ込めることにより制御を行う。ニードル３０がノブ２２０と機械的に協働し、メンブレン導入器チューブ４０がスライド２２５と機械的に協働し、充填チューブ及び超音波デバイス又はアプリケータチューブがスライド２３０と機械的に協働するように、様々な歯車及び他の機械的カップリングがハンドル２１０の周囲及び／又はシース２００の周囲に設けられている。
【００４６】
図１に示す実施例では、ポート２１２、２１４がハンドル２１０及び／又はシース２００の周囲に配置されている。これらのポートは、シース近位端２０２の手前側に設けられている。ポート２１２は、バイオマテリアル及び接着剤を設置装置１０の適当な内腔に入れるため、ハンドル２１０及び／又はシース２００内に形成された様々な内腔と連通している。別の態様では、バイオマテリアルのリザーバ及び／又は接着剤のリザーバが設置装置１０内に配置されていてもよい。設置装置１０の様々な実施例において、シース２００及び／又はハンドル２１０は、ガイドワイヤを通すことができ及び／又は様々な他の流体を連通できる追加の内腔及び／又はポートを備えていてもよい。
【００４７】
図２Ａ乃至図２Ｅ、図３Ａ乃至図３Ｄ、及び図４Ａ乃至図４Ｄは、例示の設置装置１０の遠位端の手前の部分を様々な作動状態で示す。
【００４８】
図２Ａに示すように、シース２００はチューブ状であり、シース内腔２０３を形成する。ニードル３０及びメンブレン導入器チューブ４０は、一部がシース内腔２０３内に受け入れられており且つニードル３０及びメンブレン導入器チューブ４０が、この作動状態で、シース２００の先端の外に延びるように先端方向に展開した状態で示してある。他の作動状態（図示せず）では、ニードル３０及びメンブレン導入器チューブ４０は、ニードル３０のチップ及びメンブレン導入器チューブ４０の先端がシース内腔２０３内に収容されているように、全体がシース内腔２０３内に位置決めされていてもよい。
【００４９】
更に、図２Ａに示すように、ニードル３０はニードル内腔を形成する。例示であるが、ニードル３０のチップは、組織４１０への穿通を容易にするカッティングエッジを形成するため、斜めに切ってある。ニードル３０は、注入場所５００のところで組織４１０に挿入され、組織４１０は、ニードル３０の外面の周囲に全体に押し付けられている。
【００５０】
メンブレン導入器チューブ４０は内腔を形成し、その先端に虚脱状態のカプセル封入メンブレン６０が設けられている。カプセル封入メンブレン６０は、多くの折り畳み部分をなして虚脱状態になっており、ほぼシール６２の領域でメンブレン導入器チューブ４０の内面に固定されている。メンブレン導入器チューブ４０は、メンブレン導入器チューブ４０の先端及びニードル３０のチップを互いに関して位置決めできるように、ニードル３０の内腔内に移動自在に受け入れられている。図２Ａに示す作動状態では、メンブレン導入器チューブ４０の先端は、ニードル３０の内腔内にニードル３０のチップの近くに位置決めされている。ニードル３０で注入場所５００を穿通し、組織４１０内に前進されるとき、カプセル封入メンブレン６０は組織４１０内の所定の位置に置かれる。
【００５１】
図２Ｂに示す設置装置１０の作動状態では、ニードル３０をメンブレン導入器チューブ４０の先端に関して手前方向に引っ込め、組織４１０から抜く。メンブレン導入器チューブ４０の先端の位置は、ニードル３０を組織４１０から引っ込めるときにほぼ維持され、その結果、カプセル封入メンブレン６０は組織４１０内で虚脱状態のままである。
【００５２】
図２Ｃに示す設置装置１０の作動状態では、充填チューブ６４が、メンブレン導入器チューブ４０の内腔を通して、シール６２に押し付けられてこれと係合するまで前進してある。
【００５３】
図２Ｄに示す設置装置１０の作動状態では、充填チューブ６４を通してバイオマテリアルを注入し、カプセル封入メンブレン６０を膨張し、カプセル６６にした。
【００５４】
図２Ｅに示す設置装置１０の作動状態では、充填チューブ６４がメンブレン導入器チューブ４０から引っ込めてある。
【００５５】
一般的には、カプセル６６をシールするのが有利であるが、カプセル６６に収容されたバイオマテリアルが十分に剛性又は半剛性になり、バイオマテリアルを体液に露呈することによる他の望ましからぬ効果が問題を引き起こさない場合には、シールは必要とされない。カプセル６６のシールを行わない場合には、任意の適当な技術を使用してカプセル６６をメンブレン導入器チューブ４０から取り外し、メンブレン導入器チューブ４０を組織４１０から引っ込め、カプセル６６を組織４１０内に残す。カプセル６６をメンブレン導入器チューブ４０から取り外すための適当な技術には、メンブレン導入器チューブ４０を捩じり、カプセル６６のネックを破る技術又はシール６２をメンブレン導入器チューブ４０の内腔から取り外す技術、メンブレン導入器チューブ４０の内腔を通してプランジャーを前進させ、シール６２に当て、シール６２及びカプセル６６のネックをメンブレン導入器チューブ４０の先端から押し出す技術、及びメンブレン導入器チューブ４０を組織４１０から強制的に引っ込め、カプセル６６が組織４１０内の所定の場所に保持されていることにより、シール６２及びカプセル６６のネックがメンブレン導入器チューブ４０から引き出される技術が含まれる。この際、カプセル６６は組織に押し付けられている。カプセル封入メンブレン６０及びシール６２をメンブレン導入器チューブ４０の内腔に固定する上で、プレス嵌め、接着剤、溶接、等の様々な技術が使用されていてもよいため、固定技術及び取り外し技術は、好ましくは、これらの固定技術に応じて選択される。
【００５６】
カプセル６６をシールする必要がない場合には、カプセル封入メンブレン６０をメンブレン導入器チューブ４０の内腔を通して直接的に充填する、別の技術が実施されてもよい。この別の技術では、シール６２及び充填チューブ６４を使用する必要がない。
【００５７】
カプセル６６をシールしようとする場合には、図３Ａ乃至図３Ｄに作動を示す超音波溶接技術を使用してもよい。図３Ａに示すように、適当な細長い超音波溶接デバイスを、メンブレン導入器チューブ４０の内腔を通して、デバイスの先端溶接チップ７０がシール６２と係合してこれに僅かに押し付けられるまで前進する。シール６２は、図３Ｂに示すように、超音波溶接デバイスを作動したときにシール６２が流動してプラグ７２を形成するように、超音波エネルギを加えると柔らかくなって流動する生体親和性の柔軟なプラスチック等の適当な材料で形成されている。図３Ｃに示すように、溶接チップ７０をプラグ７２から引っ込め、プラグ７２をカプセル６６のネックの所定の場所に残す。プラグ７２によってシールされたカプセル６６を上文中に説明したようにメンブレン導入器チューブ４０から取り外し、メンブレン導入器チューブ４０を図３Ｄに示すように組織４１０から引っ込めるとき、シールされたカプセル６６は組織４１０内の所定の場所に残る。
【００５８】
カプセル６６をシールしようとする場合には、図４Ａ乃至図４Ｄに作動を示す接着剤シール技術を使用してもよい。図４Ａに示すように、接着剤アプリケータチューブ８０を、メンブレン導入器チューブ４０の内腔を通して、アプリケータチューブ８０の先端チップがシール６２と係合するまで前進する。図４Ｂに示すように、流動性接着剤８２をカプセル６６のネックに注入し、カプセル６６のネックを充填する。接着剤８２は、シール６２と良好に接着するように選択される。接着剤８２は、カプセル６６のネック内に露呈されたバイオマテリアルの表面に対しても良好に接着する。アプリケータチューブ８０を図４Ｃに示すように引っ込めたとき、接着剤８２のプラグ８４がカプセル６６のネックにシール６２の近くにとどまる。プラグ８４は、カプセル６６のネックのシールを完成し、組織４１０とカプセル６６内のバイオマテリアルとの間で接触が起らないようにする。シール６２及びプラグ８４によってシールされたカプセル６６を、上文中に説明したように、メンブレン導入器チューブ４０から取り外し、メンブレン導入器チューブ４０を、図４Ｄに示すように組織４１０から引っ込めるとき、シールされたカプセル６６は組織４１０内の所定の場所に残る。
【００５９】
図３Ａ乃至図３Ｄ及び図４Ａ乃至図４Ｄに示すカプセル６６は、全体に球状形状である。しかしながら、所望であれば、この他の形状を使用してもよい。図５は、卵形状のカプセル１１０の一例を示す。生体内でのカプセル１１０の位置を示すため、カプセル１１０の外面に放射線不透過性マーク１１２が設けられていてもよい。図６は、円筒形形状を持つカプセル１２０の一例を示す。カプセル１２０の配置を容易にするため、カプセル１２０の外面に放射線不透過性マーク１１２が設けられていてもよい。図７は、截頭円錐形形状を持つカプセル１３０の一例を示す。
【００６０】
実施例によれば、設置装置１０の例示の作動方法は、以下の通りである。シース２００の先端を患者に挿入する。設置装置１０の先端が、全体として非外傷性であるように、ニードル３０及びメンブレン導入器チューブ４０は、シース２００の内腔に収容されている。シースの先端２０４は、全体が注入場所５００と近接するまで、身体の様々な通路を通して操縦される。
【００６１】
実施例によれば、次いで、ニードル３０を展開し、メンブレン導入器チューブ４０を組織４１０内に位置決めできる所定の深さまでニードル３０のチップを組織４１０に挿入する。メンブレン導入器チューブ４０は、予め所定位置に置かれていない場合には、虚脱状態のカプセル封入メンブレン６０とともに、ニードル３０の内腔を通って、組織４１０内の適当な深さでニードル３０の先端に位置決めされるまで前進される。次いで、ニードル３０を組織４１０から引っ込め、組織４１０内の所望の設置場所のところに適切に位置決めされたメンブレン導入器チューブ４０の先端のところにカプセル封入メンブレン６０を残す。
【００６２】
実施例によれば、バイオマテリアルをカプセル封入メンブレン６０に流し込み、カプセル封入メンブレン６０を、設置場所で、虚脱状態から膨張状態まで膨張する。随意であるが、カプセル封入メンブレン６０のネックをシールし、カプセル６６を形成する。メンブレン導入器チューブ４０をカプセル封入メンブレン６０と係合した状態から外し、組織４１０から引っ込め、カプセル６６を設置場所の所定位置に残す。
【００６３】
実施例によれば、カプセル封入メンブレン６０のネックは、全体が設置場所の組織内にあってもよく、又はアクセス可能であるように設置場所の組織の外に延びていてもよい。
いずれの形態についても、カプセル封入メンブレン６０のネックにアクセスするための対応するデバイス及び方法が含まれていてもよい。
【００６４】
医師がシース２００の遠位端を注入場所５００に差し向けるのを補助するため、ニードル３０の展開及び引っ込めを行うため、メンブレン導入器チューブ４０をニードル３０の内腔内に位置決めするため、バイオマテリアルをカプセル封入メンブレン６０に流入するため、カプセル６６のネックをシールするため、導入器チューブ４０をカプセル６６と係合した状態から外すため、及びメンブレン導入器チューブ４０を組織４１０から引っ込めるため、様々な制御装置がハンドル２１０の周囲及び／又は設置装置１０の他の部分に配置されていてもよい。適当な制御装置は、本開示を検討することにより、当業者に知られるであろう。
【００６５】
実施例によれば、部品のキットが開示されている。当業者は、本明細書中に開示した方法のうちの少なくとも一つの方法を実施するための、一つ又はそれ以上の部品で形成されたキットを思いつくことができる。同様に、使用法（「ＤＦＵ」）が含まれ、デバイスは、手術用トレイ(surgical tray)又は他のパッケージした手術用アクセサリーセット(accessory set)の部分であってもよい。キットは、手術用トレイのサブコンポーネントであってもよい。
【００６６】
現在最も実際的であると考えられているものに関して方法及びエージェント(agent) を説明したが、本開示は、開示の実施例に限定される必要はないということは理解されるべきである。本開示は、特許請求の範囲の精神及び範囲内の様々な変更及び同様の構成を含もうとするものであり、本発明の範囲は、このような変更及び同様の構造の全てを包含するように最も広い解釈がなされるべきである。本開示は、特許請求の範囲の任意の及び全ての実施例を含む。
【００６７】
更に、本発明の要旨から逸脱することなく、様々な変更を行ってもよいということは理解されるべきである。このような変更は、更に、説明に暗黙の内に含まれている。こうした変更は、本発明の範疇に含まれる。本開示は、本発明の多くの特徴を、独立して、及び全体的なシステムとして、及び方法及び装置モードの両方においてカバーする特許を生み出そうとするものであるということは理解されるべきである。
【００６８】
更に、本発明及び特許請求の範囲の様々なエレメントの各々を様々な方法で得ることができる。本開示は、任意の装置の実施例のうちの一実施例、方法又はプロセスの実施例、又はこれらの実施例の任意のエレメントの単なる変更の変更であれば、このような変更の各々を含むものと理解されるべきである。
【００６９】
詳細には、本開示は本発明のエレメントに関するため、各エレメントについての文言は、機能又は結果が同じでありさえすれば、等価の装置の用語又は方法の用語によって表現できるということは理解されるべきである。
【００７０】
このような等価の、広範な、又は更に一般的な用語は、各エレメント又は作用の説明に含まれるものと考えられるべきである。このような用語は、所望であれば、本発明がその権利を主張する暗黙に広い範囲を明らかにするために、代替として使用できる。
【００７１】
全ての作用は、当該作用を行うための手段として、又はその作用を生ぜしめるエレメントとして表現されてもよいということは理解されるべきである。
【００７２】
同様に、開示の物理的エレメントの各々は、当該物理的エレメントが容易にする作用の開示を含むものと理解されるべきである。
【００７３】
特許文献、公開文献、又は特許について本願で言及したその他の文献は、出典を明示することにより、それらに開示された内容が全て、本明細書の開示の一部とされる。更に、使用された各用語について、本願におけるその使用が、このような解釈と一致しない場合には、各用語についての一般的な辞書的定義が組み込まれると理解されるべきであり、当業者が知っている標準的な技術辞典及びランダムハウスウェブスター大辞典の最新版のうちの少なくとも一つに載っている全ての定義、別の用語、及び同義語は、本明細書の開示の一部とされるということは理解されるべきである。
【００７４】
最後に、本願とともに提出された情報開示ステートメント(Information Disclosure Statement)又は他の情報ステートメントに列挙された全ての文献に開示された全ての内容は本明細書の開示の一部とされる。しかしながら、上掲の文献の各々について、本明細書の開示の一部とされたこのような情報又はステートメントは、この／これらの発明の特許と符合しないと考えられる程度まで、本出願人によってなされたものとは明示的には考えられない。
【００７５】
これに関し、実際上の理由のため、及び数百にのぼる特許請求の範囲を追加することを回避するように、本出願人は、イニシャル従属性(initial dependencies)のみを持つ特許請求の範囲を提供する。
【００７６】
一つの独立項に記載された様々な従属性又は他のエレメント、又は任意の他の独立項又は概念に含まれる従属性又はエレメントとしての概念のいずれかを追加できるように、米国特許法第１３２条又は他のこのような法律を含むがこれに限定されない新規事項に関する法律で必要とされる程度まで、サポートが存在するということは理解されるべきである。
【００７７】
実体のない代替物が形成される限り、本出願人が、実際には、任意の特定の実施例を文字通り包含するように任意の特許請求の範囲を書かない限り、及びこの他の適用可能な限り、本出願人は、いずれにせよ、このような適用範囲を実際に放棄することを意図したものと理解されるべきではない。これは、本出願人が、単にあらゆる事態を予測できていない可能性があるためである。当業者は、特許請求の範囲がこのような変形例の実施例を文字通り包含するように書かれていると合理的に期待すべきではない。
【００７８】
更に、移行フレーズ「を含んでいる(comprising)」は、従来のクレームの解釈に従って、「オープンエンド(open-end)」クレームを維持するのに使用される。かくして、コンテキストに特に断りがない限り、「妥協(compromise)」、又は「を含む(comprises)」又は「を含んでいる(comprising)」等の語尾変化は、言及したエレメント又は工程又はエレメント群又は工程群を含むことを意味するが、任意の他のエレメント又は工程又はエレメント群又は工程群を除外することを意味しない。
【００７９】
このような用語は、法的に許容された最も広い範囲が出願人に提供されるように、その最も広い形態で解釈されるべきである。
【符号の説明】
【００８０】
１０  設置装置
１１  パドル状挿入体
１２  内部部分
１３  開口部
１４ａ、１４ｂ  メンブレン層
１６ａ、１６ｂ  支持層
１８ａ、１８ｂ  パドルダイ
３０  ニードル
３４  ニードルチップ
４０  カプセル封入メンブレン導入器チューブ
２００  シース
２０２  シース近位端
２０４  シース遠位端
２１０  ハンドル
２１２、２１４  ポート
２２０  ノブ
２２５、２３０  スライド
４１０  組織
５００  注入場所
【図１】
2015013198.tif 000003
【図２Ａ】
2015013198.tif 000004
【図２Ｂ】
2015013198.tif 000005
【図２Ｃ】
2015013198.tif 000006
【図２Ｄ】
2015013198.tif 000007
【図２Ｅ】
2015013198.tif 000008
【図３Ａ】
2015013198.tif 000009
【図３Ｂ】
2015013198.tif 000010
【図３Ｃ】
2015013198.tif 000011
【図３Ｄ】
2015013198.tif 000012
【図４Ａ】
2015013198.tif 000013
【図４Ｂ】
2015013198.tif 000014
【図４Ｃ】
2015013198.tif 000015
【図４Ｄ】
2015013198.tif 000016
【図５】
2015013198.tif 000017
【図６】
2015013198.tif 000018
【図７】
2015013198.tif 000019